【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
導管に関連して配置された流量計を含む閉じた導管を通過する２相の流体の流れにおける流体の流量を測定する方法であって、前記流量計が、ベンチュリ形流量計と、くさび形の差圧流量計と、ターゲット形流量計と、ノズル形の差圧流量計と、可変面積形の差圧流量計と、超音波形流量計と、タービン形流量計と、コリオリ形流量計と、電磁形流量計とを含むグループから選択され、使用される流体が前記流量計を通して前記導管内を流れ、前記方法は、
流体の流れが単一相であるという仮定のもとで、流体の流量を示す信号を生成するステップと、無調整の感知信号中のいずれかの変動を含むような前記感知信号の振幅および周波数成分の少なくとも一方を測定するステップと、
２相の流体の流れの少なくとも１つの相の流量を決定するために前記感知信号の少なくとも１つの成分を分析するステップとを有することを特徴とする、２相の流体の流れにおける流体の流量を測定する方法。
【請求項２】
２相の流体の流れにおける２次相の流量を決定するステップを有することを特徴とする、請求項１に記載の方法。
【請求項３】
流体の流れの各々の相の体積流量または質量流量を決定するために、前記感知信号の少なくとも１つの成分を分析するステップを有することを特徴とする、請求項１に記載の方法。
【請求項４】
前記流量計は、センサが１次変換器に関連し、体積流量との二乗関係または他の周知の関係を有する差圧測定信号を生成するのに適合したグループから選択されることを特徴とする、請求項１から３のいずれか一項に記載の方法。
【請求項５】
前記流量計が可変領域形流量計であり、前記方法が、さらに、差圧測定信号の平均値に対する圧力の変動の振幅の二乗平均平方根値（ΔＰrms）を算出するステップを有することを特徴とする、請求項４に記載の方法。
【請求項６】
前記流量計は、センサが１次変換器に関連し、周波数領域にあって周波数が体積流量に比例するような測定信号を生成するのに適合したグループから選択されることを特徴とする、請求項１から３のいずれか一項に記載の方法。
【請求項７】
前記流量計が電磁形流量計であり、前記流量計は、定常状態の電磁励振を受けることを特徴とする、請求項６に記載の方法。
【請求項８】
ノイズ電力スペクトルを得るために、信号データの高速フーリエ変換（ＦＦＴ）を行うステップをさらに有することを特徴とする、請求項１から７のいずれか一項に記載の方法。
【請求項９】
前記流量計は、センサが１次変換器に関連し、周波数成分が体積流量にほぼ比例するような振動測定信号を生成するのに適合したグループから選択されることを特徴とする、請求項１から３のいずれか一項に記載の方法。
【請求項１０】
前記流量計は、センサが１次変換器に関連し、流体の流れの密度および質量流量の複素関数であるような振動測定信号を生成するのに適合したグループから選択されることを特徴とする、請求項１から３のいずれか一項に記載の方法。
【請求項１１】
前記流量計がコリオリ形流量計であり、前記方法が、さらに、平均周波数からの変動の二乗平均平方根値（Δｆrms）を算出するステップを有することを特徴とする、請求項１０に記載の方法。
【請求項１２】
前記流量計を較正するステップを有することを特徴とする、請求項１から１１のいずれか一項に記載の方法。
【請求項１３】
２つの別個の相成分の流れが混合されて２相の流れを形成し、該２相の流れが選択された単一相流量計を通過する前に測定されるような別個の導管に２つの基準単一相流量計を配置することを特徴とし、前記選択された流量計の動作範囲を通じて各々の前記基準単一相流量計を通るそれぞれの流量を測定および記録し、これと同時に、試験対象の前記選択された流量計に関連するセンサが生成する全測定信号を各点で測定および記録し、これによって、無調整の感知信号全体の信号振幅の二乗平均平方根値（ｒｍｓ）、信号電力、およびスペクトル周波数成分を含むがそれらに限定されない信号データを復元し、個々の流体の流れの相の流量と全測定信号との間の関係を決定しひいては前記基準単一相流量計のデータに対して前記選択された流量計を較正するステップを特徴とする、請求項２から１２のいずれか一項に記載の方法。
【請求項１４】
前記選択された流量計と１次相および２次相と共に使用するのに適した２つの基準流量計を組み込んだ導管を装置内に含めることを特徴とし、２相の流体の流れを前記導管に送り込み、前記選択された流量計の動作範囲を通じて選択された点で前記選択された流量計の１次変換器に関連するセンサが生成する全信号を測定し、これによって、１次相の流量とそれぞれの前記１次変換器に関連する全測定信号との間の関係を決定しひいては前記基準流量計のデータに対して前記選択された流量計を較正するステップを有することを特徴とする、請求項１２に記載の方法。
【請求項１５】
前記選択された流量計と１次相および２次相に適した２つの基準流量計を組み込んだ導管を装置内に含めることを特徴とし、２相の流体の流れを前記導管に送り込み、前記選択された流量計と、１次相の流体に適した基準流量計と、２次相の流体に適したさらに別の基準流量計との動作範囲を通じて選択された点で基準流量計の１次変換器に関連するセンサが生成する全信号を測定し、これによって、流体の流れにおける１次相および２次相の組み合わせの流量とそれぞれの前記１次変換器に関連する全測定信号との間の関係を決定しひいては前記基準流量計のデータに対して前記選択された流量計を較正するステップを有することを特徴とする、請求項１２または１３に記載の方法。
【請求項１６】
前記選択された流量計の上流の前記流体の流れが送り込まれる導管に、流れ調整装置が含まれることを特徴とする、請求項１３から１５のいずれか一項に記載の方法。
【請求項１７】
前記選択された流量計の上流の前記流体の流れが送り込まれる導管に、渦発生器が含まれることを特徴とする、請求項１３から１６のいずれか一項に記載の方法。
【請求項１８】
気体を含む液体相に基づく２相の流体の流れによって較正を行うことを特徴とする、請求項１２から１７のいずれか一項に記載の方法。
【請求項１９】
液体を含む気体相に基づく２相の流体の流れによって較正を行うことを特徴とする、請求項１２から１７のいずれか一項に記載の方法。
【請求項２０】
前記感知信号の振幅の変化を２次相の存在に関する決定要因として使用することを特徴とする、請求項１９に記載の方法。
【請求項２１】
２相の流体が、蒸気および水であることを特徴とする、請求項１から２０のいずれか一項に記載の方法。
【請求項２２】
導管内を流れる蒸気の品質を決定するステップを有することを特徴とする、請求項２１に記載の方法。
【請求項２３】
液体を含む液体相に基づく２相の流体の流れによって較正を行うことを特徴とする、請求項１２から２０のいずれか一項に記載の方法。
【請求項２４】
固体を含む液体相に基づく２相の流体の流れによって較正を行うことを特徴とする、請求項１２から２０のいずれか一項に記載の方法。
【請求項２５】
スペクトル内の有限の範囲のノイズが合計されることを特徴とする、請求項８に記載の方法。
【請求項２６】
変動の対数電力スペクトルの平均値が取得されることを特徴とする、請求項８に記載の方法。
【手続補正２】
【補正対象書類名】明細書
【補正対象項目名】発明の名称
【補正方法】変更
【補正の内容】
【発明の名称】２相の流体の流れにおける流体の流量を測定する方法